(57)【要約】【課題】粘着剤の不要な安価な掲示物を、容易かつ迅速に掲示板の所定の位置に掲示することができる掲示装置を提供することを課題とする。【解決手段】時刻表やポスター等の掲示物５５を掲示する掲示板２０と、掲示物５５を被覆するように、前記掲示板２０に開閉自在に設けられた透明部を有する開閉パネル３０とを備え、前記掲示板２０の上部には、前記掲示物５５の上部を前記掲示板に押圧付勢する弾性体からなるクリップ１８が設けられ、クリップ１８は、前記開閉パネル３０の閉塞時に、開閉パネル３０で目視不可能に隠蔽され、しかも、前記掲示板２０には、前記開閉パネル３０の開放状態を維持する開放用ストッパ４１が設けられている。【選択図】  図１
2006003811.tif 000002
【特許請求の範囲】
【請求項１】
時刻表やポスター等の掲示物を掲示する掲示板と、掲示物を被覆するように、前記掲示板に開閉自在に設けられた透明部を有する開閉パネルとを備えた掲示装置であって、前記掲示板の上部には、前記掲示物の上部を前記掲示板に押圧付勢する弾性体からなるクリップが設けられ、クリップは、前記開閉パネルの閉塞時に、開閉パネルで目視不可能に隠蔽され、しかも、前記掲示板には、前記開閉パネルの開放状態を維持する開放用ストッパが設けられていることを特徴とする掲示装置。
【請求項２】
前記開閉パネルを解除自在に閉塞するロック装置を備えた請求項１に記載の掲示装置。
【請求項３】
前記開放用ストッパは、掲示板に揺動自在に設けられた板材からなる請求項１又は２に記載の掲示装置。
【発明の詳細な説明】
【技術分野】
【０００１】
本発明は、例えば、駅構内や公園、街路沿い等の公共施設に設置される掲示装置に関する。
【背景技術】
【０００２】
従来より、例えば駅構内に設置される掲示装置は、駅のホームに間隔を開けて立設された２本の支柱間に、時刻表やポスター等の掲示物を掲示する掲示板が配置され、この掲示板の前側上部に、開閉パネルを開閉自在に設けたものがある（例えば、特許文献１参照）。
【特許文献１】特開平９−６２２１９号公報
【発明の開示】
【発明が解決しようとする課題】
【０００３】
掲示物の表示内容を変更する場合、掲示装置に掲示された掲示物を交換する必要がある。前記特許文献１に記載の掲示装置は、掲示物をビスによる押縁材の止め付けによって掲示板側に取り付ける構成であるため、掲示物の交換に際しては、かかるビスを操作しなければならず、掲示物の交換作業が煩雑で面倒であった。
【０００４】
また、掲示物を剥離可能な粘着剤で掲示板に直接貼付する場合もあるが、かかる場合には、作業者が一人で掲示物を所定の位置に貼付するのは困難であるとともに、掲示物の裏面に粘着剤を予め塗布しておく必要があり、コストが高くなる問題がある。
【０００５】
本発明は係る実情に鑑みてなされたもので、粘着剤の不要な安価な掲示物を、容易かつ迅速に掲示板の所定の位置に掲示することができる掲示装置を提供することを課題とする。
【課題を解決するための手段】
【０００６】
本発明は、上記課題を解決するためになされたもので、時刻表やポスター等の掲示物を掲示する掲示板と、掲示物を被覆するように、前記掲示板に開閉自在に設けられた透明部を有する開閉パネルとを備えた掲示装置であって、前記掲示板の上部には、前記掲示物の上部を前記掲示板に押圧付勢する弾性体からなるクリップが設けられ、クリップは、前記開閉パネルの閉塞時に、開閉パネルで目視不可能に隠蔽され、しかも、前記掲示板には、前記開閉パネルの開放状態を維持する開放用ストッパが設けられていることにある。
【０００７】
本発明の掲示装置は、開放用ストッパで開閉パネルを開放状態に維持しながら、掲示物をクリップで押圧して掲示板に仮止めすることができる。さらに、掲示物をクリップで掲示板に止めた状態で、開放用ストッパの係合を解除して開閉パネルを閉じることで、掲示物を開閉パネルと掲示板とでずれることなく保持する。
【０００８】
また、掲示物を交換する際に開閉パネルを開くと、古い掲示物は、クリップで掲示板に止められているだけなので、容易に取り外すことができ、一人の作業者で容易かつ迅速に掲示物の交換作業を行える。
【０００９】
クリップは、開閉パネルの閉塞時に、開閉パネルで目視不可能に隠蔽されているので、掲示装置の外観体裁を損なうこともない。
【００１０】
さらに、本発明の掲示装置は、開閉パネルを解除自在に閉塞するロック装置を備えるのが好ましい。ロック装置を備えることにより、掲示物を開閉パネルと掲示板とで確実に保持することができるとともに、悪戯等で掲示物を破損されたり、取り外されたりするおそれはない。
【００１１】
また、前記開放用ストッパは、掲示板に揺動自在に設けられた板材からなるのが好ましい。かかる掲示装置は、開放用ストッパの構造が簡単になり、装置全体をシンプルで安価に製造できる。
【発明の効果】
【００１２】
本発明の掲示装置は、粘着剤の不要な安価な掲示物を、容易かつ迅速に掲示板の所定の位置に掲示することができる。
【発明を実施するための最良の形態】
【００１３】
以下、本発明に係る掲示装置の実施の形態について、図面を参照しながら説明する。
【００１４】
図１〜図８は、本発明の第一実施の形態を示す。図３は掲示装置を示し、同図（ａ）は一部破断を含む掲示装置の正面図、同図（ｂ）は掲示装置の側面図である。掲示装置１は、一対の支柱１０、１０と、これらの支柱１０、１０間に配置された掲示板２0と、この掲示板２０の両面上部に蝶番７を介して上下方向に回動自在に設けられた一対の開閉パネル３０、３０とを備えている。
【００１５】
各支柱１０は、アルミ製の筒状の押出材からなり、基礎２に立設されたアンカー支柱３にそれぞれ外嵌されている。各アンカー支柱３は、図５（ｂ）に示すように断面コの字状を呈し、両側にリブ部３ａ、３ａを有する。各支柱１０の内側には、平坦な内壁１１が形成され、この内壁１１はアンカー支柱３にボルト５ａおよびナット５ｂで締結固定されている。
【００１６】
また、内壁１１の内面には、アンカー支柱３のリブ部３ａ、３ａに両側から嵌合する突起１２、１２がそれぞれ形成されている。各支柱１０の外側には、アンカー支柱３の両リブ部３ａ、３ａ間に嵌合される凹部１３が上下方向に連続して形成され、この凹部１３には、前記ボルト５ａおよびナット５ｂを隠蔽するカバー１５が嵌合されている。
【００１７】
前記掲示板２０は、図１、図２および図５（ａ）に示すように、掲示用枠体２１と、下地板２６、２６とを備えている。掲示用枠体２１は、上下に配置された上枠２２、下枠２３および左右に配置された縦枠２４、２４とで構成されている。両縦枠２４、２４の上下部は、図３および図５（ａ）に示すように、支柱１０にスペーサー１６を介してビス１７で取り付けられている。上下縦枠２２、２３、２４、２４の両面には、前記矩形状の下地板２６、２６がそれぞれビス２８で固定されている。
【００１８】
この各枠２２、２３、２４、２４の外周部は下地板２６、２６で覆われておらず、図２および図４に示すように、上枠２２の外周部２２ａには、前記蝶番７の一方７ａがビス２９で固定されている。また、上枠２２の外周部２２ａには、蝶番７の位置と重ならないように、複数個の弾性体としての板ばねからなるクリップ１８が、ビス１９で固定されている。各クリップ１８は、ビス１９が挿通される上部側の固定部１８ａと、この固定部１８ａから下地板２６、２６の上面に沿うように屈曲された立ち上がり部１８ｂと、この立ち上がり部１８ｂから下方に延設されて下地板２６、２６の上部表面を押圧する挟持部１８ｃからなる。
【００１９】
前記開閉パネル３０は、図１、図３および図５（ａ）に示すように、不透明な開閉枠体３１と、透明なアクリル板からなる透明パネル３２とを備えている。開閉枠体３１は、上下に配置された上枠３４、下枠３５、および左右に配置された縦枠３６、３６で構成されている。上下縦枠３４、３５、３６、３６の背面に、透明パネル３２が裏側からビス３８で固定されている。上下縦枠３４、３５、３６、３７の外周部は透明パネル３２で覆われておらず、図２に示すように、上枠３４の外周部３４ａには、前記蝶番７の他方７ｂがビス３９で固定されている。
【００２０】
また、各開閉パネル３０を閉じた際に、透明パネル３２は下地板２６、２６の表面に当接するようになっている。この開閉パネル３０の閉塞状態において、図２に示すように、掲示用枠体２１の上枠２２の外周部２２ａと、開閉枠体３１の上枠３４の外周部３４ａとの間には、収納間隙４０が形成される。この収納間隙４０は、下地板２６の厚みと、透明パネル３２の厚みを合わせた寸法に相当する大きさであるのが好ましい。しかも、クリップ１８の挟持部１８ｃが透明パネル３２の背面に当接しないように、透明パネル３２の上面３２ａは、下地板２６の上面２６ａよりも低くなっている。そして、この収納間隙４０内に前記クリップ１８が収納され、不透明な開閉枠体３１の上枠３４が、クリップ１８を隠蔽するため、クリップ１８は正面から目視できないようになっている。
【００２１】
前記掲示用枠体２１の左右の縦枠２４、２４の外面には、開閉パネル３０を開放状態に維持するための開放用ストッパ４１が、両開閉パネル３０に対応して設けられている。各開放用ストッパ４１は、図１に示すように帯状の板材から形成され、その一端４１ａが、支持軸４２により上下方向に揺動自在に支持されている。また、他端４１ｂには、前記開閉パネル３０の縦枠３６に形成された係止開口３６ａに係脱自在に挿入される係止部４１ｃが設けられている。
【００２２】
なお、各不使用の開放用ストッパ４１は、垂下して支柱１０と掲示用枠体２１との間（前記スペーサー１６の厚みにより形成された隙間）に収納されている。また、開放用ストッパ４１には、開放用ストッパ４１を摘み出すための摘み部４１ｄを設けるのが好ましい。
【００２３】
また、図６〜図８に示すように、両開閉パネル３０の下枠３５の外周部３５ａの背面には、係止片４３がビス４４で固定されている。係止片４３は、掲示用枠体２１の下枠２３と、開閉枠体３１の下枠３５との間に形成された収納間隙４０ａ内に収納されており、正面から目視不可能になっている。係止片４３は、下枠３５の外周部３５ａと間隙を有するように屈曲形成された逆Ｌ字状の係止部４３ａを有する。また、掲示用枠体２１の下枠２３の下部壁２３ａには、ロック装置５０が挿通される長孔形状の開口２３ｂが形成されている。この開口２３ｂは、ロック装置５０の個数により適宜決定され、単数の場合には、下枠２３の長手方向中央部に形成され、複数の場合には、所定の間隔をおいて形成されている。
【００２４】
ロック装置５０は、開閉パネル３０の閉塞状態を解除自在に維持するもので、両側に突出するコの字状の嵌合片５１を有するロック装置本体５２と、このロック装置本体５２に対して回動する回動係止部５３とからなる。両開閉パネル３０の閉塞時に、嵌合片５１は、開閉パネル３０の下枠３５に固定された係止片４３の係止部４３ａに両側から挟持するように嵌合するとともに、回動係止部５３の両端部は、開口２３ｂの短辺側を向き、下枠２３の下部壁２３ａに内側から係止し、ロック装置５０が脱落することはない。
【００２５】
回動係止部５３は、ロック装置本体５２に挿入したキー５４を回転させて、任意の方向に回動させることができる。また、回動係止部５３は、開口２３ｂの長辺側を向いた際に、この開口２３ｂを通過できる。
【００２６】
次に、前記構成からなる掲示装置１を使用する場合について説明する。
【００２７】
まず、開閉パネル３０を閉塞状態にロックしているロック装置５０に、キー５４を挿入する。そして、キー５４により、掲示用枠体２１の下枠２３に係止している回動係止部５３を、下枠２３の長手方向（開口２３ｂの長辺側）に回転させて、下枠２３との係合を解除する。
【００２８】
さらに、ロック装置５０を下げると、回動係止部５３は下枠２３の開口２３ｂを通過できるため、ロック装置５０を下枠２３から抜き出して、嵌合片５１を開閉パネル３０の下枠３５に固定された係止片４３から離脱させることができる（図６参照）。ロック装置５０を取り外すことにより、両開閉パネル３０のロックを解除することができる。
【００２９】
次に、各開閉パネル３０を上方に回動させて開き、開放用ストッパ４１を上方に回動し、開放用ストッパ４１の係止部４１ｃを、開閉パネル３０の縦枠２４に形成された係止開口２４ａに係合させることにより、開閉パネル３０を開放状態にする（図１参照）。
【００３０】
さらに、時刻表等が印刷されたシート状の掲示物５５の上部を、開閉パネル３０の開放により露出したクリップ１８で下地板２６、２６に押圧付勢する（図２および図４参照）。掲示物５５は、クリップ１８で下地板２６の所定位置に垂下した状態で保持される。かかる掲示物５５をクリップ１８で下地板２６に止める作業は、開閉パネル３０の開放状態で行えるので、一人で容易に行うことができる。
【００３１】
各開放用ストッパ４１を縦枠２４、２４からそれぞれ外し、掲示物５５を被覆するように、開閉パネル３０を閉じる。再び前記ロック装置５０のロック装置本体５２を、下枠２３の開口２３ｂに挿入し、嵌合片５１を係止片４３に嵌合させ、キー５４により回動係止部５３を回転させて下枠２３の下部壁２３ａに係止させる。嵌合片５１は両開閉パネル３０の係止片４３を挟持して開閉パネル３０をロックすることができる。このとき、開閉パネル３０の透明パネル３２は、掲示物５５を全面にわたって下地板２６に押圧し、掲示物５５は、粘着剤を予め塗布しておく必要がなく、透明パネル３２と下地板２６とに保持される。なお、掲示物５５に印刷された表示は、透明パネル３２を透して目視することができる。
【００３２】
さらに、掲示物５５を交換する際には、前記と同様の動作を行えばよい。古い掲示物５５は、クリップ１８で下地板２６、２６に挟持されているだけなので、容易に取り外すことができる。
【００３３】
図９は、前記実施の形態の変形例を示し、本変形例の掲示装置１は、２枚の掲示物５５、５５を横方向に併設した構成のものである。かかる装置１は、開閉パネル３０の透明パネル３２、３２の背面に、２枚の掲示物５５、５５の縁部の重ね合わせ部を隠蔽する帯状のカッティングシート４６が、上下方向に貼着されている。なお、掲示装置１は、掲示物５５は２枚に限らず、３枚以上の複数枚を掲示することも可能である。
【００３４】
図１０〜図１３は、本発明の第二実施の形態を示す。本実施の形態の掲示装置１は、壁掛け用のもので、支柱１０は設けられていない。なお、実施の形態１の掲示装置と同一部材は同一符号を付して各部材の説明は省略する。
【００３５】
第二実施の形態の掲示装置１は、図１０に示すように、掲示板２０の掲示用枠体２１の一面側にのみ開閉パネル３０が設けられている。掲示用枠体２１の他面側には、背面板５７がビス５８で固定されている。また、背面板５７はアンカーボルト５９により、壁面６０に固定されている。
【００３６】
ロック装置５０は、図１２および図１３（ａ）、（ｂ）に示すように、ロック装置本体５２に平板状の固定片６１が設けられ、この固定片６１を開閉パネル３０の下枠３５の外周部３５ａの背面にビス６２で固定されている。従って、ロック装置本体５２は、開閉パネル３０に横向きに取り付けられている。また、回動係止部５３も板材からなり、この回動係止部５３は、掲示用枠体２１の下枠２３の下部壁２３ａに回動係止部５３の厚さと同等幅に形成された開口２３ｂに挿脱自在になっている。キー５４は、ロック装置本体５２に前面側から挿入して、回動係止部５３を回動させることができる。
【００３７】
かかる壁掛け用の掲示装置１も、前記支柱を備えた掲示装置１と同様に使用することができる。
【図面の簡単な説明】
【００３８】
【図１】本発明の第一実施の形態の掲示装置の上部を示す断面図である。
【図２】同掲示装置の上部の要部を示す断面図である。
【図３】同掲示装置の全体を示し、（ａ）は一部破断を含む正面図、（ｂ）は側面図である。
【図４】同掲示装置上部の要部を示す断面斜視図である。
【図５】（ａ）は図３のＡ−Ａ線矢視を示す拡大断面平面図、（ｂ）は図３のＢ−Ｂ線矢視を示す拡大断面平面図である。
【図６】本発明の第一実施の形態の掲示装置に使用されるロック装置の取り付け構造を示す分解斜視図である。
【図７】同掲示装置の開閉パネルをロック装置でロックした状態を示す断面図である。
【図８】同掲示装置のロック装置を解除した状態を示す断面図である。
【図９】図３（ａ）の掲示装置の変形例を示す正面図である。
【図１０】本発明の第二実施の形態の掲示装置上部を示す断面図である。
【図１１】（ａ）は同掲示装置の全体正面図、（ｂ）は同掲示装置の要部を示す平面断面図である。
【図１２】同掲示装置の側面断面図である。
【図１３】（ａ）は同掲示装置の開閉パネルをロック装置でロックした状態を示す断面図、（ｂ）は同掲示装置のロック装置を解除した状態を示す断面図である。
【符号の説明】
【００３９】
１８    クリップ
２０    掲示板
３０    開閉パネル
４１    開放用ストッパ
５０    ロック装置
５５    掲示物
【図１】
2006003811.tif 000003
【図２】
2006003811.tif 000004
【図３】
2006003811.tif 000005
【図４】
2006003811.tif 000006
【図５】
2006003811.tif 000007
【図６】
2006003811.tif 000008
【図７】
2006003811.tif 000009
【図８】
2006003811.tif 000010
【図９】
2006003811.tif 000011
【図１０】
2006003811.tif 000012
【図１１】
2006003811.tif 000013
【図１２】
2006003811.tif 000014
【図１３】
2006003811.tif 000015